【手続補正書】
【提出日】平成18年6月14日(2006.6.14)
【手続補正１】
【補正対象書類名】特許請求の範囲
【補正対象項目名】請求項１
【補正方法】変更
【補正の内容】
【請求項１】
多入力多出力（ＭＩＭＯ）通信システムにおいて、ＭＩＭＯチャネルを介した伝送のためにデータを処理する方法であって、
特定の処理スキームに従ってデータを処理して、変調シンボルからなる複数のストリームを供給することと、
前記ＭＩＭＯチャネルの推定応答に基づいてパルス形成行列を導出することと、
前記複数の変調シンボルストリームを、前記パルス形成行列に基づいて予め調整して、前記ＭＩＭＯチャネルを介した伝送のために、予め調整されたシンボルからなる複数のストリームを供給することとを備える、方法。
【手続補正２】
【補正対象書類名】特許請求の範囲
【補正対象項目名】請求項１１
【補正方法】変更
【補正の内容】
【請求項１１】
各行列における前記特異値は、それらの大きさに基づいてソートされる、請求項３に記載の方法。
【手続補正３】
【補正対象書類名】特許請求の範囲
【補正対象項目名】請求項１９
【補正方法】変更
【補正の内容】
【請求項１９】
多入力多出力（ＭＩＭＯ）通信システムにおいて、ＭＩＭＯチャネルを介した伝送のためにデータを処理する方法であって、
特定の処理スキームに従ってデータを処理して、変調シンボルからなる複数のストリームを供給することと、
前記ＭＩＭＯチャネルのための推定チャネル応答行列を得ることと、
前記推定チャネル応答行列を分解して、固有ベクトルからなる複数の行列及び特異値からなる複数の行列を得ることと、
前記特異値からなる行列に基づいて、複数の重みを導出することであって、前記重みは、前記ＭＩＭＯチャネルの周波数応答を反転させるのに用いられることと、
前記固有ベクトルからなる行列及び前記重みに基づいて、パルス形成行列を導出することと、
前記変調シンボルからなる複数のストリームを、前記パルス形成行列に基づいて予め調整して、前記ＭＩＭＯチャネルを介した伝送のために、予め調整されたシンボルからなる複数のストリームを供給することとを備える、方法。
【手続補正４】
【補正対象書類名】特許請求の範囲
【補正対象項目名】請求項２１
【補正方法】変更
【補正の内容】
【請求項２１】
特定の処理スキームに従ってデータを処理して、変調シンボルからなる複数のストリームを供給し、
ＭＩＭＯチャネルの推定応答に基づいてパルス形成行列を導出し、
前記変調シンボルからなる複数のストリームを、前記パルス形成行列に基づいて予め調整して、前記ＭＩＭＯチャネルを介した伝送のために、予め調整されたシンボルからなる複数のストリームを供給するために、ディジタル情報を解釈実行できるディジタル信号処理素子（ＤＳＰＤ）と通信可能に結合されたメモリ。
【手続補正５】
【補正対象書類名】特許請求の範囲
【補正対象項目名】請求項２２
【補正方法】変更
【補正の内容】
【請求項２２】
多入力多出力（ＭＩＭＯ）通信システムにおいて、ＭＩＭＯチャネルを介して受信したデータ伝送を処理する方法であって、
前記ＭＩＭＯチャネルのための推定チャネル応答行列を得ることと、
前記推定チャネル応答行列を分解して、固有ベクトルからなる複数の行列を得ることと、
前記固有ベクトルからなる行列に基づいて、パルス形成行列を導出することと、
前記パルス形成行列に基づいて、受信シンボルからなる複数のストリームを調整して、データ伝送のために送信された変調シンボルの推定である回復されたシンボルからなる複数のストリームを生成することであって、前記変調シンボルは、前記ＭＩＭＯチャネルを介した伝送の前に、送信機において予め調整されることとを備える、方法。
【手続補正６】
【補正対象書類名】特許請求の範囲
【補正対象項目名】請求項２４
【補正方法】変更
【補正の内容】
【請求項２４】
前記調整することは、周波数領域で実行され、
前記複数の受信シンボルストリームを周波数領域に変換することと、
変換した受信シンボルストリームに、周波数領域のパルス形成行列を乗算して、複数の調整シンボルストリームを供給することと、
前記複数の調整シンボルストリームを時間領域に変換して、複数の回復シンボルストリームを供給することとを含む、請求項２２に記載の方法。
【手続補正７】
【補正対象書類名】特許請求の範囲
【補正対象項目名】請求項２６
【補正方法】変更
【補正の内容】
【請求項２６】
１つ以上の復調スキームに従って、前記複数の回復シンボルストリームを復調して、複数の復調データストリームを供給することと、
１つ以上の復号スキームに従って、前記複数の復調データストリームを復号して、復号データを供給することとをさらに備える、請求項２２に記載の方法。
【手続補正８】
【補正対象書類名】特許請求の範囲
【補正対象項目名】請求項２８
【補正方法】変更
【補正の内容】
【請求項２８】
多入力多出力（ＭＩＭＯ）通信システムにおいて、ＭＩＭＯチャネルを介して受信したデータ伝送を処理する方法であって、
前記ＭＩＭＯチャネルのための推定チャネル応答行列を得ることと、
前記推定チャネル応答行列を分解して、固有ベクトルからなる複数の行列を得ることと、
前記固有ベクトルからなる行列に基づいて、パルス形成行列を導出することと、
前記パルス形成行列に基づいて、受信シンボルからなる複数のストリームを調整して、データ伝送のために送信された変調シンボルの推定である回復されたシンボルからなる複数のストリームを生成することであって、前記変調シンボルは、前記ＭＩＭＯチャネルを介した伝送の前に、送信機において予め調整されることと、
１つ以上の復調スキームに従って、前記複数の回復シンボルストリームを復調して、複数の復調データストリームを供給することと、
１つまたそれ以上の復号スキームに従って、前記複数の復調データストリームを復号して、復号データを供給することとを備える、方法。
【手続補正９】
【補正対象書類名】特許請求の範囲
【補正対象項目名】請求項２９
【補正方法】変更
【補正の内容】
【請求項２９】
データ伝送に用いられるＭＩＭＯチャネルのための推定チャネル応答行列を得て、
前記推定チャネル応答行列を分解して、固有ベクトルからなる複数の行列を得て、
前記固有ベクトルからなる行列に基づいてパルス形成行列を導出し、
前記パルス形成行列に基づいて、受信シンボルの複数のストリームを調整して、データ伝送のために伝送された変調シンボルの推定である回復されたシンボルからなる複数のストリームを供給し、前記変調シンボルは、前記ＭＩＭＯチャネルを介した伝送の前に、送信機において予め調整されるように、ディジタル情報を解釈実行できるディジタル信号処理素子（ＤＳＰＤ）と通信可能に結合されたメモリ。
【手続補正１０】
【補正対象書類名】特許請求の範囲
【補正対象項目名】請求項３０
【補正方法】変更
【補正の内容】
【請求項３０】
多入力多出力（ＭＩＭＯ）通信システムにおける送信ユニットであって、
特定の処理スキームに従ってデータを処理して、変調シンボルの複数のストリームを供給するように作動するＴＸデータプロセッサと、
ＭＩＭＯチャネルの推定応答に基づいて、パルス形成行列を導出し、かつ前記パルス形成行列に基づいて、前記複数の変調シンボルストリームを予め調整して、前記ＭＩＭＯチャネルを介した伝送のための予め調整されたシンボルからなる複数のストリームを生成するように作動するＴＸ  ＭＩＭＯプロセッサとを備える、送信機ユニット。
【手続補正１１】
【補正対象書類名】特許請求の範囲
【補正対象項目名】請求項３５
【補正方法】変更
【補正の内容】
【請求項３５】
多入力多出力（ＭＩＭＯ）通信システムにおける装置であって、
特定の処理スキームに従ってデータを処理して、変調シンボルの複数のストリームを供給する手段と、
ＭＩＭＯチャネルの推定応答に基づいて、パルス形成行列を導出する手段と、
前記パルス形成行列に基づいて、前記複数の変調シンボルストリームを予め調整して、前記ＭＩＭＯチャネルを介した伝送のための予め調整されたシンボルからなる複数のストリームを供給する手段とを備える、装置。
【手続補正１２】
【補正対象書類名】特許請求の範囲
【補正対象項目名】請求項３６
【補正方法】変更
【補正の内容】
【請求項３６】
特定の処理スキームに従ってデータを処理して、変調シンボルの複数のストリームを供給する手段と、
多入力多出力（ＭＩＭＯ）チャネルの推定応答に基づいて、パルス形成行列を導出する手段と、
前記パルス形成行列に基づいて、前記複数の変調シンボルストリームを予め調整して、前記ＭＩＭＯチャネルを介した伝送のための予め調整されたシンボルからなる複数のストリームを供給する手段とを備える、ディジタル信号プロセッサ。
【手続補正１３】
【補正対象書類名】特許請求の範囲
【補正対象項目名】請求項３７
【補正方法】変更
【補正の内容】
【請求項３７】
多入力多出力（ＭＩＭＯ）通信システムにおける受信機ユニットであって、
データ伝送に用いられるＭＩＭＯチャネルのための推定チャネル応答行列を得て、前記推定チャネル応答行列を分解して、固有ベクトルの複数の行列を得て、前記固有ベクトルの行列に基づいてパルス形成行列を導出し、前記パルス形成行列に基づいて、受信シンボルの複数のストリームを調整して、前記ＭＩＭＯチャネルを介して伝送された変調シンボルの推定値である回復されたシンボルの複数のストリームを得るように作動するＲＸ  ＭＩＭＯプロセッサであって、前記変調シンボルは、前記ＭＩＭＯチャネルを介した伝送の前に、送信機において予め調整されるＲＸ  ＭＩＭＯプロセッサと、
復号されたデータを生成するための特定の処理スキームに従って、複数の回復されたシンボルストリームを処理するように作動するＲＸデータプロセッサと、
を備える、受信機ユニット。
【手続補正１４】
【補正対象書類名】特許請求の範囲
【補正対象項目名】請求項３８
【補正方法】変更
【補正の内容】
【請求項３８】
前記ＲＸ  ＭＩＭＯプロセッサは、時間領域のパルス形成行列に基づいて、時間領域で、受信シンボルの複数のストリームを調整するように作動する、請求項３７に記載の受信機ユニット。
【手続補正１５】
【補正対象書類名】特許請求の範囲
【補正対象項目名】請求項３９
【補正方法】変更
【補正の内容】
【請求項３９】
多入力多出力（ＭＩＭＯ）通信システムにおける装置であって、
データ伝送に用いられるＭＩＭＯチャネルのための推定チャネル応答行列を得る手段と、
前記推定チャネル応答行列を分解して、固有ベクトルの複数の行列を得る手段と、
前記固有ベクトルの行列に基づいてパルス形成行列を導出する手段と、
前記パルス形成行列に基づいて、受信シンボルの複数のストリームを調整して、データ伝送のために伝送された変調シンボルの推定値である回復されたシンボルの複数のストリームを供給する手段であって、前記変調シンボルは、前記ＭＩＭＯチャネルを介した伝送の前に、送信機において予め調整される手段とを備える、装置。
【手続補正１６】
【補正対象書類名】特許請求の範囲
【補正対象項目名】請求項４０
【補正方法】変更
【補正の内容】
【請求項４０】
データ伝送に用いられる多入力多出力（ＭＩＭＯ）チャネルのための推定チャネル応答行列を得る手段と、
前記推定チャネル応答行列を分解して、固有ベクトルの複数の行列を得る手段と、
前記固有ベクトルの行列に基づいてパルス形成行列を導出する手段と、
前記パルス形成行列に基づいて、受信シンボルの複数のストリームを調整して、データ伝送のために伝送された変調シンボルの推定である回復されたシンボルの複数のストリームを供給する手段であって、前記変調シンボルは、前記ＭＩＭＯチャネルを介した伝送の前に、送信機において予め調整される手段とを備える、ディジタル信号プロセッサ。
【手続補正１７】
【補正対象書類名】明細書
【補正対象項目名】００２０
【補正方法】変更
【補正の内容】
【００２０】
送信機システム１１０において、トラヒックデータは、データソース１１２から送信（ｔｒａｎｓｍｉｔ；ＴＸ）データプロセッサ１１４に供給され、該プロセッサは、符号化したデータを生成する１つ以上の符号化スキームに基づいて、該トラヒックデータをフォーマットし、符号化し、かつインタリーブする。そして、符号化されたトラヒックデータは、送信すべきデータストリームの全てまたは部分集合において、例えば、時分割多重方式（ｔｉｍｅ  ｄｉｖｉｓｉｏｎ  ｍｕｌｔｉｐｌｅｘ；ＴＤＭ）または符号分割多重方式（ｃｏｄｅ  ｄｉｖｉｓｉｏｎ  ｍｕｌｔｉｐｌｅｘ；ＣＤＭ）を用いて、パイロットデータと共に多重化することができる。パイロットデータは、一般に、公知の方法で処理される既知のデータパターンである。多重化されたパイロットデータ及び符号化されたトラヒックデータは、インタリーブされた後、変調シンボルを生成する、１つ以上の変調スキームに基づいて変調（すなわち、シンボルマップ）され、変調シンボルを供給する。一実施形態において、ＴＸデータプロセッサ１１４は、データ伝送に用いる各空間サブチャネルのための１つの変調シンボルストリームを供給する。各変調シンボルストリームのためのデータレート、符号化、インタリーブ及び変調は、コントローラ１３０によって供給される制御によって決めることができる。
【手続補正１８】
【補正対象書類名】明細書
【補正対象項目名】００２３
【補正方法】変更
【補正の内容】
【００２３】
受信機システム１５０において、送信された変調信号は、ＮＲのアンテナ１５２ａから１５２ｒによって受信され、各アンテナ１５２によって受信された信号は、各受信機（ＲＣＶＲ）１５４に供給される。各受信機１５４は、受信信号を調整（例えば、フィルタリング、増幅、および周波数ダウンコンバート）し、該調整した信号をディジタル化してサンプルからなるストリームを供給し、該サンプルストリームをさらに処理して、受信シンボルからなるストリームを供給する。次に、ＲＸ  ＭＩＭＯプロセッサ１６０は、ＮＲの受信シンボルストリームを受信しかつ処理して、回復されたシンボルからなるＮＴのストリームを供給し、これは、上記送信機システムから送信された変調シンボルの推定である。一実施形態において、ＲＸ  ＭＩＭＯプロセッサ１６０による処理は、（１）ＭＩＭＯチャネルのための推定チャネル周波数応答行列を決めることと、（２）この行列を分解して、該受信機のためのステアリングベクトルのセットを得ることと、（３）該ステアリングベクトルに基づいて、受信時空間パルス形成行列を得ることと、（４）該受信シンボルを該パルス形成行列と共に調整して、回復シンボルを供給することとを含む。ＲＸ  ＭＩＭＯプロセッサ１６０による処理を、以下にさらに詳細に説明する。
【手続補正１９】
【補正対象書類名】明細書
【補正対象項目名】００２４
【補正方法】変更
【補正の内容】
【００２４】
次いで、受信（ＲＸ）データプロセッサ１６２は、該回復シンボルを復調し、デインタリーブし、かつ復号して、送信されたトラヒックデータの推定である復号データを供給する。ＲＸ  ＭＩＭＯプロセッサ１６０及びＲＸデータプロセッサ１６２による処理は、それぞれ、送信機システム１１０におけるＴＸ  ＭＩＭＯプロセッサ１２０及びＴＸデータプロセッサ１１４によって実行される処理と相補的である。
【手続補正２０】
【補正対象書類名】明細書
【補正対象項目名】００２５
【補正方法】変更
【補正の内容】
【００２５】
ＲＸ  ＭＩＭＯプロセッサ１６０は、さらに、ＭＩＭＯチャネル、受信ノイズ電力および／または空間サブチャネルに対するＳＮＲｓ等のためのチャネルインパルス応答を得てもよい。そして、ＲＸ  ＭＩＭＯプロセッサ１６０は、これらの量をコントローラ１７０へ供給する。また、ＲＸデータプロセッサ１６２は、各受信したパケットまたはフレームの状態、復号した結果を示す１つ以上の他のパフォーマンス測定基準、あるいは他の情報を供給してもよい。そして、コントローラ１７０は、ＲＸ  ＭＩＭＯプロセッサ１６０及びＲＸデータプロセッサ１６２から受信した情報のうちの全てまたは一部を備えてもよい、チャネル状態情報（ＣＳＩ）を得る。該ＣＳＩは、ＴＸデータプロセッサ１７８によって処理され、変調器１８０によって変調され、送信機１５４ａから１５４ｒによって調整されて、送信機システム１１０に送り返される。
【手続補正２１】
【補正対象書類名】明細書
【補正対象項目名】００２７
【補正方法】変更
【補正の内容】
【００２７】
コントローラ１３０及び１７０は、上記送信機及び受信機システムにおいて、それぞれ、動作を指示する。メモリ１３２及び１７２は、それぞれ、コントローラ１３０及び１７０によって用いられるプログラムコード及びデータのための記憶装置を提供する。
【手続補正２２】
【補正対象書類名】明細書
【補正対象項目名】００３０
【補正方法】変更
【補正の内容】
【００３０】
チャネル反転は、上記送信機において実行され、データ伝送に用いられる各固有モード（または、空間サブチャネル）の周波数応答が平坦化される。上述したように、周波数選択性フェージングは、符号間干渉（ＩＳＩ）を引き起こし、これは、上記受信機において受信したシンボルを正しく検知する能力に影響を及ぼすことにより、パフォーマンスを低下させる可能性がある。従来、周波数選択性フェージングは、上記受信シンボルストリームに対する等化を実行することにより、受信機において補正することができる。しかし、等化は、受信処理の複雑さを増加させる。本発明の技術の場合、上記チャネル反転は、上周波数選択性フェージングに対処するためおよび受信機における等化の必要性を軽減するために送信機において実行される。
【手続補正２３】
【補正対象書類名】明細書
【補正対象項目名】００３６
【補正方法】変更
【補正の内容】
【００３６】
図２は、本願明細書に記載した様々な処理技術を実施することが可能な送信機ユニット２００の一実施形態のブロック図である。送信機ユニット２００は、図１の送信機システム１１０の送信機部の一実施形態である。送信機ユニット２００は、（１）トラヒックデータ及びパイロットデータを受信し、かつ処理して、ＮＴの変調シンボルストリームを供給するＴＸデータプロセッサ１１４ａと、（２）該変調シンボルストリームを予め調整して、ＮＴの予め調整したシンボルストリームを供給するＴＸ  ＭＩＭＯプロセッサ１２０ａとを含む。ＴＸデータプロセッサ１１４ａ及びＴＸ  ＭＩＭＯプロセッサ１２０ａは、それぞれ、図１におけるＴＸデータプロセッサ１１４及びＴＸ  ＭＩＭＯプロセッサ１２０の一実施形態である。
【手続補正２４】
【補正対象書類名】明細書
【補正対象項目名】００３７
【補正方法】変更
【補正の内容】
【００３７】
図２に示す特定の実施形態において、ＴＸデータプロセッサ１１４ａは、符号器２１２と、チャネルインタリーバ２１４と、シンボルマッピング要素２１６とを含む。符号器２１２は、符号化されたビットを供給するための、１つ以上の符号化スキームに従ってトラヒックデータ（すなわち、情報ビット、ｄｉ）を受け取って符号化する。該符号化は、データ伝送の信頼性を増す。一実施形態においては、データ伝送のための利用に選定された各固有モード（または、空間サブチャネル）に対して、別々の符号化スキームを情報ビットに用いることができる。代替の実施形態においては、空間サブチャネルの各部分集合に、別々の符号化スキームを用いることができ、または、全ての空間サブチャネルに対して、共通の符号化スキームを用いることができる。用いる符号化スキームは、コントローラ１３０からの制御によって決まり、上記受信機システムから受信したＣＳＩに基づいて選定してもよい。各選定された符号化スキームは、巡回冗長検査（ＣＲＣ）、畳込み符号化、ターボ符号化、ブロック符号化、およびその他の符号化のどのような組合せを含んでもよく、あるいは符号化を含んでいなくてもよい。
【手続補正２５】
【補正対象書類名】明細書
【補正対象項目名】００３８
【補正方法】変更
【補正の内容】
【００３８】
チャネルインタリーバ２１４は、１つ以上のインタリーブスキームに基づいて、符号化されたビットをインタリーブする。一般に、各選定された符号化スキームは、対応するインタリーブスキームと関連付けられている。該インタリーブは、符号化されたビットに対する時間ダイバーシティを供給し、データ伝送に用いる各空間サブチャネルの平均ＳＮＲに基づいて、データを伝送することができ、フェージングに対抗し、さらに、各変調シンボルを形成するのに用いられる符号化ビット間の相関関係を取り去る。
【手続補正２６】
【補正対象書類名】明細書
【補正対象項目名】００３９
【補正方法】変更
【補正の内容】
【００３９】
シンボルマッピング要素２１６は、パイロットデータを該インタリーブされたデータと共に受け取って多重化し、変調シンボルを供給するための１つ以上の変調スキームに従って、該多重化されたデータをさらにマッピングする。使用のために選定された各空間サブチャネルに対して、または、空間サブチャネルの各部分集合に対して、別々の変調スキームを用いてもよい。別法として、全ての選定された空間サブチャネルに対して、共通の変調スキームを用いてもよい。
【手続補正２７】
【補正対象書類名】明細書
【補正対象項目名】００４０
【補正方法】変更
【補正の内容】
【００４０】
各空間サブチャネルに対するシンボルマッピングは、（各々が、非バイナリ値であってもよい）データシンボルを形成するビットからなるセットをグループ化し、該空間サブチャネルのための使用に選定された変調スキームに応じて、各データシンボルを信号点配置におけるポイントにマッピングすることにより実現することができる。選定された変調スキームは、ＱＰＳＫ、Ｍ−ＰＳＫ、Ｍ−ＱＡＭ、または他のスキームであってもよい。マッピングされた各信号点は、複素値であり、変調シンボルに対応する。シンボルマッピング要素２１６は、各シンボル期間の変調シンボルのベクトルを供給し、各ベクトルにおける変調シンボルの数は、該シンボル期間の使用のために選定された空間サブチャネルの数に対応する。従って、シンボルマッピング要素２１６は、最大ＮＴの変調シンボルストリームを供給する。これらのストリームは、ベクトル列を集合的に形成し、該ベクトルは、変調シンボルベクトル、ｓ（ｎ）とも呼ばれ、そのような各ベクトルは、ｎ番目のシンボル周期の最大ＮＳの空間サブチャネルによって伝送される最大ＮＳの変調シンボルを含む。
【手続補正２８】
【補正対象書類名】明細書
【補正対象項目名】００５１
【補正方法】変更
【補正の内容】
【００５１】
ｋ＝（０，１，…，ＮＦ−１）の場合、行列の３つのセット、Ｕ（ｋ）、Λ（ｋ）及びＶ（ｋ）は、２つの形式、すなわち、「ソート」形式と「任意配列」形式である。ソート形式においては、各行列Λ（ｋ）の対角要素は、λ１１（ｋ）≧λ２２（ｋ）≧…≧λｒｒ（ｋ）及びそれらの固有ベクトルが、Ｕ（ｋ）及びＶ（ｋ）における対応する配列で配置されるように、降順で整列される。該ソート形式は、ｋ＝（０，１，…，ＮＦ−１）の場合、添字ｓ、すなわち、Ｕｓ（ｋ）、Λｓ（ｋ）及びＶｓ（ｋ）で表わされる。
【手続補正２９】
【補正対象書類名】明細書
【補正対象項目名】００５９
【補正方法】変更
【補正の内容】
【００５９】
ソート配列形式の場合、ｉ＝（１，２，…，ＮＳ）の場合の各行列Λ（ｋ）の特異値λｉｉ（ｋ）は、より小さい指数を有するΛ（ｋ）の対角要素が、概してより大きいようにソートされる。そのため、（原理固有モードと呼ばれる場合もある）固有モード０は、ＮＦの対角行列Λ（ｋ）の各々における最大の特異値と関連付けられ、固有モード１は、ＮＦの対角行列の各々における２番目に大きい特異値と関連付けられ、以下同様である。従って、チャネル反転が、各固有モードのためのＮＦの周波数ビンの全てに対して実行されても、より低い指数を有する固有モードは、（もしあれば）過剰な悪いビンを有することはない。すなわち、少なくとも、より低い指数を有する固有モードの場合、悪いビンに対しては、過剰な送信電力は使用されない。
【手続補正３０】
【補正対象書類名】明細書
【補正対象項目名】００８０
【補正方法】変更
【補正の内容】
【００８０】
注水が実行されて、上記総使用可能送信電力が固有モードに配分されると、注水解析ユニット２３４は、ＮＳの固有モードに対して、ＮＳスケーリング値のセットｂ＝｛ｂ０…ｂｉ…ｂＮｓ｝を供給する。各スケーリング値は、各固有モードのためのものであり、該固有モードに対して決定された重みのセットを基準化するのに用いられる。
【手続補正３１】
【補正対象書類名】明細書
【補正対象項目名】００８２
【補正方法】変更
【補正の内容】
【００８２】
重み計算ユニット２３０は、重み付け行列Ｗのセットを供給し、これは、重みｗｉｉ（ｋ）またはｗ＾ｉｉ（ｋ）を用いて得ることができる。各重み付け行列Ｗ（ｋ）は、その対角要素が、上記のように得られる重みからなる対角行列である。具体的には、チャネル反転のみが実行される場合には、各重み付け行列Ｗ（ｋ）は、ｋ＝｛０，１，…，ＮＦ−１｝の場合、
【数１４】
2005531218.tif 000001
式（１１ａ）のように定義され、ただし、ｗｉｉ（ｋ）は、式（３）に示すように導出される。また、チャネル反転及び注水の両方が実行される場合には、各重み付け行列Ｗ（ｋ）は、ｋ＝｛０，１，…，ＮＦ−１｝の場合、
【数１５】
2005531218.tif 000002
式（１１ｂ）のように定義され、ただし、ｗ＾ｉｉ（ｋ）は、式（１０）に示すように導出される。
【手続補正３２】
【補正対象書類名】明細書
【補正対象項目名】００８３
【補正方法】変更
【補正の内容】
【００８３】
図２に戻って説明すると、スケーラ／ＩＦＦＴ２３６は、（１）Ｈ＾右の固有ベクトルの行列である単位行列Ｖのセットと、（２）全てのＮＦ周波数ビンのための重み付け行列Ｗのセットとを受け取る。そして、スケーラ／ＩＦＦＴ２３６は、受け取った行列に基づいて、上記送信機のための時空間パルス形成行列Ｐｔｘ（ｎ）を導出する。最初に、各重み付け行列Ｗ（ｋ）の平方根が計算されて、対応する行列√Ｗ（ｋ）を得て、該要素は、Ｗ（ｋ）の要素の平方根である。ｋ＝｛０，１，…，ＮＦ−１｝の場合、重み付け行列Ｗ（ｋ）の要素は、固有モードの電力に関連している。そして、該平方根は、該電力を同等の信号基準化に変換する。各周波数ビンｋの場合、該平方根重み付け行列√Ｗ（ｋ）と、対応する単位行列Ｖ（ｋ）の積が計算されて、積行列Ｖ（ｋ）√Ｗ（ｋ）が供給される。ｋ＝｛０，１，…，ＮＦ−１｝の場合、Ｖ√Ｗとも表わされる積行列Ｖ（ｋ）√Ｗ（ｋ）のセットは、変調シンボルベクトルｓ（ｎ）に加えられる最適なまたはほぼ最適な空間スペクトル形成を定義する。
【手続補正３３】
【補正対象書類名】明細書
【補正対象項目名】００８６
【補正方法】変更
【補正の内容】
【００８６】
畳み込み器２４０は、上記変調シンボルベクトルｓ（ｎ）を受け取って、パルス形成行列Ｐｔｘ（ｎ）によって、予め調整して、送信シンボルベクトルｘ（ｎ）を供給する。時間領域において、該予め調整することは、畳み込み演算であり、Ｐｔｘ（ｎ）を用いたｓ（ｎ）の畳み込みは、
【数１７】
2005531218.tif 000003
式（１３）のように表わすことができる。
【手続補正３４】
【補正対象書類名】明細書
【補正対象項目名】００９０
【補正方法】変更
【補正の内容】
【００９０】
また、ｓ（ｎ）の要素を形成する変調シンボルの列は、それぞれ、長さＮＳＳ＝ＮＯ−ＮＦ＋１の列に分解される。そして、各列には、ＮＦ−１ゼロが埋め込まれて、長さＮＯの対応するベクトルが供給される。ｓ（ｎ）の列は、長さＮＯのベクトルの列ｓ〜ｌ（ｎ）を供給するように処理され、ただし、下付き符号ｌは、ゼロが埋め込まれた列に対応するベクトルのための指数である。次いで、ＮＯポイントの高速フーリエ変換が、該ゼロが埋め込まれた列の各々に対して計算され、結果として、異なる値のｌに対して、周波数領域ベクトルの列Ｓ〜ｌ（ｋ）を生じる。各ベクトルＳ〜ｌ（ｋ）は、所定のｌの場合、（すなわち、ｋ＝（０，１，…，ＮＯ−１）の場合）長さＮＯの周波数領域ベクトルのセットを含む。次に、各ｌの値に対して、行列Ｑｔｘ（ｋ）にベクトルＳ〜ｌ（ｋ）がかけられ、ただし、各ｋの値、すなわち、ｋ＝（０，１，…，ＮＯ−１）に対して、予め乗算が実行される。そして、行列ベクトル積Ｑｔｘ（ｋ）Ｓ〜ｌ（ｋ）に対して反転ＦＦＴｓが計算されて、長さＮＯの時間領域列のセットが供給される。そして、結果として生じる列は、所望の出力列を形成するために、当技術分野において公知であるように、オーバラップ加算法や同様の方法に従って再構成される。
【手続補正３５】
【補正対象書類名】明細書
【補正対象項目名】００９１
【補正方法】変更
【補正の内容】
【００９１】
図６は、本願明細書に記載した様々な伝送処理技術を実施するための、上記送信機ユニットにおいて実行することができるプロセス６００の一実施形態のフロー図を示す。まず、送信すべきデータ（すなわち、情報ビット）が、変調シンボルからなる多数のストリームを供給する特定の処理スキームに従って処理される（ステップ６１２）。上述したように、該処理スキームは、１つ以上の符号化スキーム及び１つ以上の変調スキーム（例えば、各変調シンボルストリームに対して、別々の符号化及び変調スキーム）を含んでもよい。
【手続補正３６】
【補正対象書類名】明細書
【補正対象項目名】００９５
【補正方法】変更
【補正の内容】
【００９５】
次いで、パルス形成行列Ｐｔｘ（ｎ）が、右の固有ベクトルの行列Ｖ、重みｗｉｉのセット、および（使用可能であれば）スケーリング値ｂのセットに基づいて導出される（ステップ６２２）。そして、変調シンボルからなるストリームが、パルス形成行列に基づいて（時間領域または周波数領域のいずれかにおいて）予め調整されて、ＭＩＭＯチャネルを介して送信される、予め調整されたシンボルからなる多数のストリームｘ（ｎ）が供給される（ステップ６２４）。
【手続補正３７】
【補正対象書類名】明細書
【補正対象項目名】００９７
【補正方法】変更
【補正の内容】
【００９７】
図７は、本願明細書に記載した様々な処理技術を実施することが可能な受信機ユニット７００の実施形態のブロック図である。受信機ユニット７００は、図１の受信機システム１５０の受信機の部分の実施形態である。受信機ユニット７００は、（１）ＮＲの受信シンボルストリームを処理して、ＮＴの回復シンボルストリームを供給するＲＸ  ＭＩＭＯプロセッサ１６０ａと、（２）該回復したシンボルを復調し、デインタリーブし、復号して、復号ビットを供給するＲＸデータプロセッサ１６２ａとを含む。ＲＸ  ＭＩＭＯプロセッサ１６０ａ及びＲＸデータプロセッサ１６２ａは、それぞれ、図１のＲＸ  ＭＩＭＯプロセッサ１６０及びＲＸデータプロセッサ１６２の一実施形態である。
【手続補正３８】
【補正対象書類名】明細書
【補正対象項目名】００９８
【補正方法】変更
【補正の内容】
【００９８】
図１に戻って説明すると、ＮＴの送信アンテナからの送信信号は、ＮＲのアンテナ１５２ａから１５２ｒの各々によって受信される。各アンテナからの受信信号は、フロントエンドプロセッサとも呼ばれる各受信機１５４に流れる。各受信機１５４は、各受信信号を調整（例えば、フィルタリングし、増幅し、周波数ダウンコンバート）し、該調整した信号をさらにディジタル化してＡＤＣサンプルを供給する。各受信機１５４は、さらに、該ＡＤＣサンプルを回復したパイロットと共にデータ復調して、受信シンボルからなる各ストリームを供給する。それに伴って、受信機１５４ａから１５４ｒは、ＮＲの受信シンボルストリームを供給する。それらのストリームは、まとまってベクトルの列を形成し、これは、受信シンボルベクトルｒ（ｎ）とも呼ばれ、このようなベクトルの各々は、ｎ番目のシンボル周期のＮＲの受信機１５４からのＮＲの受信シンボルを含む。そして、受信シンボルベクトルｒ（ｎ）は、ＲＸ  ＭＩＭＯプロセッサ１６０ａに供給される。
【手続補正３９】
【補正対象書類名】明細書
【補正対象項目名】０１０２
【補正方法】変更
【補正の内容】
【０１０２】
上記受信機におけるパルス形成も、上記送信機について説明したのと同様に、周波数領域で実行することができる。この場合、受信シンボルベクトルｒ（ｎ）の列を形成する、ＮＲの受信アンテナのための受信シンボルからなるＮＲの列は、それぞれ、ＮＳＳの受信シンボルの列に分解され、各列にはゼロが埋め込まれて、長さＮＯの対応行列が供給される。それに伴って、ｒ（ｎ）のＮＲの列が処理されて、長さＮＯのベクトルのＮＲの列ｒ〜ｌ（ｎ）が供給され、ただし、下付き文字ｌは、ゼロが埋め込まれた列に対応するベクトルのための指数である。そして、各ゼロが埋め込まれた列は、ＦＦＴによって変換され、異なる値のｌに対する、周波数領域ベクトルの列Ｒｌ（ｋ）を生じる。所定のｌに対する各ベクトルＲｌ（ｋ）は、長さＮＯの周波数領域ベクトルのセットを含む（すなわち、ｋ＝（０，１，…，ＮＯ−１））。
【手続補正４０】
【補正対象書類名】明細書
【補正対象項目名】０１０３
【補正方法】変更
【補正の内容】
【０１０３】
時空間パルス形成行列ｕＨ（ｎ）の共役転置にもゼロが埋め込まれて、ＦＦＴを介して変換されて、ｋ＝（０，１，…，ＮＯ−１）の場合、周波数領域行列Ｕ〜Ｈ（ｋ）を得る。次いで、ｌの各値に対するベクトルＲｌ（ｋ）には、共役転置行列Ｕ〜Ｈ（ｋ）が予め掛けられて（ただし、この乗算は、すなわち、ｋ＝（０，１，…，ＮＯ−１）の場合、ｋの各値に対して実行される）、対応する周波数領域ベクトルＳ＾ｌ（ｋ）が得られる。次に、長さＮＯの周波数領域ベクトルのセットを含む各ベクトルＳ＾ｌ（ｋ）は、逆ＦＦＴを介して変換して、長さＮＯの時間領域の列の対応するセットを供給することができる。そして、結果として生じた列は、当技術分野においては公知であるオーバラップ加算法または同様の方法に従って再構成されて、回復シンボルベクトルｓ＾（ｎ）のセットに対応する回復シンボルの列が得られる。
【手続補正４１】
【補正対象書類名】明細書
【補正対象項目名】０１０５
【補正方法】変更
【補正の内容】
【０１０５】
ソートされ、かつ任意に順序づけされた特異値を整列する２つの形式は、２つの異なる種類の固有パルスをもたらす。ソート形式の場合、結果として生じる固有パルス行列Γｓ（ｎ）は、エネルギ内容の降順でソートされているパルスの対角行列である。固有パルス行列｛Γｓ（ｎ）｝１１の第１の対角要素に対応するパルスは、最大のエネルギを有し、さらに降下した対角の要素に対応するパルスは、連続的により少ないエネルギを有する。さらに、ＳＮＲが十分低く、注水が、少しのエネルギを有するまたはエネルギを有しないいくつかの周波数ビンを生じる場合、該エネルギは、まず、最少の固有パルスから得られる。従って、低ＳＮＲｓにおいては、１つ以上の固有パルスは、少しのエネルギを有してもよく、あるいは、エネルギを有しなくてもよい。このことは、低ＳＮＲｓにおいては、直交サブチャネルの数の低減によって、符号化及び変調が単純化されるという利点を有する。しかし、チャネル容量に近づけるために、符号化及び変調は、各固有パルスに対して別々に実行される。
【手続補正４２】
【補正対象書類名】明細書
【補正対象項目名】０１１２
【補正方法】変更
【補正の内容】
【０１１２】
次に、パルス形成行列ｕ（ｎ）が、左固有ベクトルの行列Ｕに基づいて導出される（ステップ８１６）。次いで、受信シンボルのストリームが、パルス形成行列ｕ（ｎ）に基づいて（時間領域または周波数領域において）調整されて、回復シンボルからなるストリームが生成される（ステップ８１８）。該回復シンボルは、さらに、上記送信機において用いられる送信処理スキームと相補的な特定の受信処理スキームに従って処理されて、復号されたデータが供給される（ステップ８２０）。
【手続補正４３】
【補正対象書類名】図面
【補正対象項目名】図６
【補正方法】変更
【補正の内容】
【図６】
2005531218.tif 000004
【手続補正４４】
【補正対象書類名】図面
【補正対象項目名】図８
【補正方法】変更
【補正の内容】
【図８】
2005531218.tif 000005